(57)【要約】  本発明に係るユーザ装置１０は、隣接セルからの干渉を除去することができる干渉除去機能を具備しており、所定サブフレームでは、所定サブフレーム内の全てのＯＦＤＭシンボルにおいて、サービングセル及び隣接セルの無線品質を測定するように構成されており、所定サブフレーム以外のサブフレームでは、該サブフレーム内のリファレンス信号が含まれるＯＦＤＭシンボルにおいて、サービングセル及び隣接セルの無線品質を測定するように構成されているＲＳＳＩ測定部１０７を具備し、ＲＳＳＩ測定部１０７は、干渉除去機能を用いて、隣接セルにおいて送信されているリファレンス信号、ＰＳＳ/ＳＳＳ及びＰＢＣＨ信号の受信電力を考慮して、上述の無線品質を測定する。
2012096299.tif 000002
【特許請求の範囲】
【請求項１】
サービングセル及び隣接セルの無線品質を測定するように構成されているユーザ装置であって、
前記サービングセル及び第１隣接セルに対する第２隣接セルからの干渉を除去することができる干渉除去機能を具備しており、
所定サブフレームでは、該所定サブフレーム内の全ての時間シンボルにおいて、前記無線品質を測定するように構成されており、
前記所定サブフレーム以外のサブフレームでは、該サブフレーム内のリファレンス信号が含まれる時間シンボルにおいて、前記無線品質を測定するように構成されている測定部を具備し、
前記測定部は、前記干渉除去機能を用いて、前記第２隣接セルにおいて送信されている所定信号の受信電力を考慮して、前記無線品質を測定するように構成されていることを特徴とするユーザ装置。
【請求項２】
前記測定部は、前記無線品質を測定する時間シンボルにおいて、前記第２隣接セルが前記所定信号を送信している場合に、該第２隣接セルにおいて送信されている該所定信号の受信電力を除去することによって、前記無線品質を算出するように構成されていることを特徴とする請求項１に記載のユーザ装置。
【請求項３】
前記測定部は、前記サービングセルと前記第２隣接セルとが同期している場合には、算出したＲＳＳＩから、該第２隣接セルにおいて送信されている前記所定信号の受信電力を除去することによって、前記無線品質を算出するように構成されており、
前記測定部は、前記サービングセルと前記第２隣接セルとが同期していない場合には、算出したＲＳＳＩを、前記無線品質とするように構成されていることを特徴とする請求項１に記載のユーザ装置。
【請求項４】
前記所定信号は、リファレンス信号であることを特徴とする請求項１乃至３のいずれか一項に記載のユーザ装置。
【請求項５】
前記所定信号は、ＰＳＳ/ＳＳＳであることを特徴とする請求項１乃至３のいずれか一項に記載のユーザ装置。
【請求項６】
前記所定信号は、ＰＢＣＨ信号であることを特徴とする請求項１乃至３のいずれか一項に記載のユーザ装置。
【請求項７】
サービングセル及び隣接セルの無線品質を測定するように構成されているユーザ装置であって、
前記サービングセル及び第１隣接セルに対する第２隣接セルからの干渉を除去することができる干渉除去機能を具備しており、
前記測定部は、前記干渉除去機能を用いて、前記第２隣接セルにおいて送信されているリファレンス信号、ＰＳＳ/ＳＳＳ、ＰＢＣＨ信号、ＰＤＣＣＨ信号及びＰＤＳＣＨ信号の受信電力を考慮して、前記無線品質を測定するように構成されていることを特徴とするユーザ装置。
【請求項８】
前記測定部は、前記無線品質を測定する時間シンボルにおいて、前記第２隣接セルがリファレンス信号、ＰＳＳ/ＳＳＳ、ＰＢＣＨ信号、ＰＤＣＣＨ信号及びＰＤＳＣＨ信号を送信している場合に、該第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、前記無線品質を算出するように構成されていることを特徴とする請求項７に記載のユーザ装置。
【請求項９】
前記測定部は、前記サービングセルと前記第２隣接セルとが同期している場合には、算出したＲＳＳＩから、該第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、前記無線品質を算出するように構成されており、
前記測定部は、前記サービングセルと前記第２隣接セルとが同期していない場合には、算出したＲＳＳＩを、前記無線品質とするように構成されていることを特徴とする請求項７に記載のユーザ装置。
【発明の詳細な説明】
【技術分野】
【０００１】
本発明は、ユーザ装置及び測定方法に関する。
【背景技術】
【０００２】
複数のセルから構成される移動通信システムでは、ユーザ装置（ＵＥ：Ｕｓｅｒ  Ｅｑｕｉｐｍｅｎｔ）が、１つのセルから他のセルに移動するときに、セルを切り替えて通信を継続する。このセルの切り替えを「ハンドオーバ」という。【０００３】
一般的に、ユーザ装置が、サービングセル（Ｓｅｒｖｉｎｇ  Ｃｅｌｌ）から隣接セルに移動し、隣接セルからの信号が、サービングセル（元々通信を行っていたセル）からの信号より強くなった場合に、隣接セルにハンドオーバを行う。【０００４】
具体的には、ユーザ装置は、図１に示す手順に従ってハンドオーバを行う。【０００５】
まず、Ｓ１において、ユーザ装置は、隣接セルの信号電力を測定する。次に、ユーザ装置は、隣接セルの信号電力が、以下の（式１）を満たすか否かについて確認する。【０００６】
隣接セルの信号電力＞サービングセルの信号電力＋オフセット  …  （式１）  
（式１）が満たされた場合に、ユーザ装置は、Ｓ２において、そのイベント（Ｅｖｅｎｔ  Ａ３）をネットワーク（基地局装置）に報告する。【０００７】
なお、オフセットは、セル境界でサービングセルから隣接セルへのハンドオーバが頻繁に生じないために設けられる値であり、正の値でもよく、負の値でもよい。一般に、ハンドオーバが頻繁に生じないために設ける値としては、正の値が用いられる。【０００８】
ネットワークは、Ｓ３において、イベント（Ｅｖｅｎｔ  Ａ３）を受信すると、ユーザ装置が当該イベント（Ｅｖｅｎｔ  Ａ３）が報告されたセルにハンドオーバすることを決定し、ハンドオーバ手順を実行する（Ｓ３）。【０００９】
なお、上述したイベントは、「Ｅｖｅｎｔ  Ａ３」と定義されているが、別のイベント、すなわち、「Ｅｖｅｎｔ  Ａ３」以外のイベントとして定義されてもよい。【００１０】
上述した例における信号電力は、例えば、ＷＣＤＭＡ （Ｗｉｄｅｂａｎｄ  Ｃｏｄｅ  Ｄｉｖｉｓｉｏｎ  Ｍｕｌｔｉｐｌｅ  Ａｃｃｅｓｓ）や、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）の後継となるＬＴＥ（Ｌｏｎｇ  Ｔｅｒｍ  Ｅｖｏｌｕｔｉｏｎ）においては、リファレンス信号の受信電力である「ＲＳＲＰ（Ｒｅｆｅｒｅｎｃｅ  Ｓｉｇｎａｌ  Ｒｅｃｅｉｖｅｄ  Ｐｏｗｅｒ）」であってもよい。【００１１】
ＲＳＲＰは、非特許文献１に定義されている。なお、上述のＬＴＥは、「Ｅ-ＵＴＲＡ/Ｅ-ＵＴＲＡＮ」と呼ばれてもよい。また、リファレンス信号は、より具体的には、共通リファレンス信号であってもよい。【００１２】
なお、上述した例においては、サービングセルのＲＳＲＰ及び隣接セルのＲＳＲＰに基づいてハンドオーバを行ったが、ＲＳＲＰの代わりに、「ＲＳＲＱ（Ｒｅｆｅｒｅｎｃｅ  Ｓｉｇｎａｌ  Ｒｅｃｅｉｖｅｄ  Ｑｕａｌｉｔｙ）が用いられてもよい。ここで、ＲＳＲＱとは、ＲＳＲＰを「ＲＳＳＩ（Ｒｅｃｅｉｖｅｄ  Ｓｉｇｎａｌ  Ｓｔｒｅｎｇｔｈ  Ｉｎｄｉｃａｔｏｒ）で割った値であり、非特許文献１に定義されている。すなわち、ＲＳＲＱは、以下の（式２）により算出される。【００１３】
ＲＳＲＱ＝ＲＳＲＰ/ＲＳＳＩ  …  （式２）
ＲＳＳＩとは、サービングセルからの希望信号や隣接セルからの干渉信号や熱雑音による雑音信号等の全ての信号の受信電力の合計、すなわち、総受信電力であり、非特許文献１に定義されている。ＲＳＳＩは、「Ｅ-ＵＴＲＡ  ｃａｒｒｉｅｒ  ＲＳＳＩ」と呼ばれてもよい。【００１４】
一般に、異なる周波数キャリアにおいては、上述のＲＳＳＩの値は異なる。例えば、混雑度の高い周波数キャリアでは、ＲＳＳＩの値が大きく、混雑度の低い周波数キャリアでは、ＲＳＳＩの値が小さい。この場合、ＲＳＲＰの値が同じでも、混雑度等によってＲＳＳＩの値が異なることにより、ＲＳＲＱの値が異なる場合がある。よって、ＲＳＲＱは、例えば、異周波のハンドオーバを行う際に用いられる。【００１５】
なお、上述のＲＳＲＰやＲＳＲＱは、上述の「Ｅｖｅｎｔ  Ａ３」だけでなく、その他のイベントに用いられてもよい。また、上述のＲＳＲＰやＲＳＲＱの代わりに、リファレンス信号のＳＩＲである「ＲＳ  ＳＩＲ」が用いられてもよい。また、上述のＲＳＲＰやＲＳＲＱやＲＳ  ＳＩＲは、まとめて、無線品質や無線信号の品質や「Ｒａｄｉｏ  ｑｕａｌｉｔｙ」と呼ばれてもよい。【００１６】
上述したハンドオーバに用いられる無線品質は、移動通信システムの通信品質に大きく影響する。特に、Ｓ１における測定精度が、ハンドオーバの品質に関係する。【００１７】
より具体的には、測定精度が悪く、隣接セルの無線品質を、本来の値よりも悪く報告した場合には、実際にはハンドオーバすべきエリアにおいてハンドオーバが行われず、通信が切断されるという事象が生じる。【００１８】
或いは、測定精度が悪く、隣接セルの無線品質を、本来の値よりも良く報告した場合には、実際にはハンドオーバしてはいけないエリアにおいてハンドオーバが行われ、通信が切断されるという事象が生じる。【００１９】
すなわち、前記無線品質を精度良く測定を行うことができる場合には、適切にハンドオーバを行うことが可能となり、ハンドオーバの失敗を防ぐことが可能となる。【００２０】
ところで、上述のＲＳＲＱの算出に用いられるＲＳＳＩは、図２に示すように、リファレンス信号を含むＯＦＤＭシンボルにおいてのみ測定される。【００２１】
すなわち、図２においては、ＯＦＤＭシンボル＃０/＃４/＃７/＃１１が、リファレンス信号を含むＯＦＤＭシンボルとなり、上記以外のＯＦＤＭシンボルが、リファレンス信号を含まないＯＦＤＭシンボルとなる。【００２２】
なお、リファレンス信号は、複数の送信アンテナが存在する場合には、アンテナポート０のリファレンス信号である。【００２３】
これは、リファレンス信号を含まないＯＦＤＭシンボルを用いてＲＳＳＩを測定した場合、サービングセルからの希望信号や隣接セルからの干渉信号が存在せず、かつ、熱雑音の電力が、リファレンス信号の電力に比べて、極めて小さい場合に、ＲＳＲＱの分母であるＲＳＳＩが「０」に近づき、ＲＳＲＱの値が無限大に発散する、という動作を防ぐためである。【００２４】
ところで、３ＧＰＰにおいて、ＬＴＥ或いはＬＴＥ  Ａｄｖａｎｃｅｄの１つの技術として、隣接セルからの干渉を抑圧することにより、スループットを増大する技術である「ｅ-ＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」が検討されている。かかるｅ-ＩＣＩＣでは、図３に示すように、ユーザ装置は、特定のサブフレームにおいて、上述のＲＳＲＰ及びＲＳＲＱの測定を行う。【００２５】
図３において、干渉を与えるセルである隣接セルは、例えば、サブフレーム＃２/＃３/＃６/＃７において、下りリンクの信号を送信しない。この場合、干渉を受けるサービングセルで通信を行うユーザ装置は、下りリンクの信号が送信されないサブフレーム＃２/＃３/＃６/＃７でのみ、ＲＳＲＰ及びＲＳＲＱの測定を行う。【００２６】
このようにＲＳＲＰやＲＳＲＱの測定を行うことにより、干渉が存在し、かつ、ｅ-ＩＣＩＣによる干渉コーディネーションが行われる場合に、干渉の影響を排除したＲＳＲＰ及びＲＳＲＱの測定を行うことが可能となる。【００２７】
なお、どのサブフレームにおいて、隣接セルから下りリンクの信号が送信されないか、すなわち、どのサブフレームにおいて、ユーザ装置がＲＳＲＰ及びＲＳＲＱの測定を行うかは、例えば、ＲＲＣのシグナリングにより、ネットワークからユーザ装置に通知される。
【先行技術文献】
【非特許文献】
【００２８】
【非特許文献１】３ＧＰＰ  ＴＳ３６.２１４  ｖ１０.０.０  ２０１０年１２月
【発明の概要】
【発明が解決しようとする課題】
【００２９】
上述したように、ｅ-ＩＣＩＣが行われている場合のＲＳＲＰ及びＲＳＲＱの測定は、特定のサブフレーム、すなわち、隣接セルからの干渉が存在しないサブフレームにおいて行われる。また、特定のサブフレームは、ネットワークからユーザ装置に通知される。【００３０】
しかしながら、上述したＲＳＲＱの測定には、以下の問題が存在する。【００３１】
上述したように、ＲＳＲＱが算出される際の分母であるＲＳＳＩは、図２に示すように、リファレンス信号を含むＯＦＤＭシンボルにおいてのみ測定される。【００３２】
よって、サービングセルのタイミングと隣接セルのタイミングとが同期している場合に、図４に示すように、上述のＲＳＳＩの値に、隣接セルのリファレンス信号の電力が必ず含まれる。【００３３】
例えば、図４においては、ＲＳＳＩは、サービングセルのＯＦＤＭシンボル＃０/＃４/＃７/＃１１において測定されるため、必ず、かかるＲＳＳＩに、隣接セルのＯＦＤＭシンボル＃０/＃４/＃７/＃１１のリファレンス信号の電力が含まれる。【００３４】
この場合、ＲＳＲＱの計算において、本来は排除する必要のある隣接セルからの信号の影響が含まれるため、ＲＳＲＱを適切に計算することができないという問題が生じる。【００３５】
例えば、図４において、隣接セルは、リファレンス信号のみを送信し、サービングセルは、リファレンス信号とデータ信号の両方を送信し、かつ、隣接セルからの信号が、サービングセルからの信号よりも、１０倍大きい場合を仮定する。【００３６】
かかる場合、ＲＳＲＱの値は、以下のように計算される。【００３７】
ＲＳＲＱ  ＝  １/（１０＋１０＋１２）＝１/３２、「１/３２」は、ｄＢ値にすると、「−１５ｄＢ」である。【００３８】
一方、隣接セルからの信号を排除したＲＳＲＱは、以下のように計算される。【００３９】
ＲＳＲＱ＝１/１２、「１/１２」は、ｄＢ値にすると、「−１０.８ｄＢ」である。【００４０】
この場合、ＲＳＲＱの値として、本来算出されるべき値である後者のＲＳＲＱ （＝−１０.８ｄＢ）から４ｄＢ程ずれたＲＳＲＱの値（−１５ｄＢ）が算出されることになる。【００４１】
このように、ＲＳＲＱの値を適切に算出できない場合、結果として、ハンドオーバが適切に行われない、或いは、ｅ-ＩＣＩＣのスループット増大効果を享受することができないという問題が生じる。【００４２】
そこで、本発明は、上述の課題に鑑みてなされたものであり、無線品質を精度良く測定することのできるユーザ装置及び測定方法を提供することを目的とする。
【課題を解決するための手段】
【００４３】
本発明の第１の特徴は、サービングセル及び隣接セルの無線品質を測定するように構成されているユーザ装置であって、所定サブフレームでは、該所定サブフレーム内の全ての時間シンボルにおいて、前記無線品質を測定するように構成されており、前記所定サブフレーム以外のサブフレームでは、該サブフレーム内のリファレンス信号が含まれる時間シンボルにおいて、前記無線品質を測定するように構成されている測定部を具備することを要旨とする。【００４４】
本発明の第２の特徴は、サービングセル及び隣接セルの無線品質を測定するように構成されているユーザ装置であって、所定サブフレームでは、該所定サブフレーム内のリファレンス信号が含まれない時間シンボルにおいて、前記無線品質を測定するように構成されており、前記所定サブフレーム以外のサブフレームでは、該サブフレーム内のリファレンス信号が含まれる時間シンボルにおいて、前記無線品質を測定するように構成されている測定部を具備することを要旨とする。【００４５】
本実施形態の第３の特徴は、サービングセル及び隣接セルの無線品質を測定するように構成されているユーザ装置であって、前記無線品質は、サービングセル及び隣接セルのリファレンス信号の受信電力と、帯域内のトータルの受信電力とから算出される場合に、前記無線品質を測定するように構成されている測定部を具備し、前記測定部は、前記帯域内のトータルの受信電力に隣接セルのリファレンス信号の受信電力が含まれないように、前記帯域内のトータルの受信電力を算出することを要旨とする。【００４６】
本発明の第４の特徴は、サービングセル及び隣接セルの無線品質を測定する測定方法であって、前記無線品質を測定する時間シンボルを決定するステップＡと、決定された前記時間シンボルにおいて、前記無線品質を測定するステップＢとを有し、前記ステップＢにおいて、干渉コーディネーションが適用されるか否かに応じて、前記時間シンボルを決定することを要旨とする。【００４７】
本発明の第５の特徴は、サービングセル及び隣接セルの無線品質を測定するように構成されているユーザ装置であって、前記サービングセル及び第１隣接セルに対する第２隣接セルからの干渉を除去することができる干渉除去機能を具備しており、所定サブフレームでは、該所定サブフレーム内の全ての時間シンボルにおいて、前記無線品質を測定するように構成されており、前記所定サブフレーム以外のサブフレームでは、該サブフレーム内のリファレンス信号が含まれる時間シンボルにおいて、前記無線品質を測定するように構成されている測定部を具備し、前記測定部は、前記干渉除去機能を用いて、前記第２隣接セルにおいて送信されている所定信号の受信電力を考慮して、前記無線品質を測定するように構成されていることを要旨とする。【００４８】
本発明の第６の特徴は、サービングセル及び隣接セルの無線品質を測定するように構成されているユーザ装置であって、前記サービングセル及び第１隣接セルに対する第２隣接セルからの干渉を除去することができる干渉除去機能を具備しており、前記干渉除去機能を用いて、前記第２隣接セルにおいて送信されているリファレンス信号、ＰＳＳ/ＳＳＳ、ＰＢＣＨ信号、ＰＤＣＣＨ信号及びＰＤＳＣＨ信号の受信電力を考慮して、前記無線品質を測定するように構成されていることを要旨とする。
【発明の効果】
【００４９】
以上説明したように、本発明によれば、無線品質を精度良く測定することのできるユーザ装置及び測定方法を提供することができる。
【図面の簡単な説明】
【００５０】
【図１】図１は、従来の移動通信システムにおけるハンドオーバ方法のフローチャートである。
【図２】図２は、従来の移動通信システムにおいて、ＲＳＳＩの測定を行うＯＦＤＭシンボルを示す図である。
【図３】図３は、従来の移動通信システムにおいて、サービングセルと隣接するセルとの間で干渉コーディネーションが行われている場合のＲＳＲＰ及びＲＳＲＱの受信タイミングを示す図である。
【図４】図４は、従来の移動通信システムにおいて、サービングセルと隣接するセルとの間で干渉コーディネーションが行われている場合のＲＳＳＩの測定を行うＯＦＤＭシンボルを示す図である。
【図５】図５は、本発明の第１の実施形態に係る移動通信システムにおいて、ＲＳＳＩを測定するＯＦＤＭシンボルを示す図である。
【図６】図６は、本発明の第１の実施形態に係る移動通信システムにおいて、ＲＳＳＩを測定するＯＦＤＭシンボルを示す図である。
【図７】図７は、本発明の第１の実施形態に係る移動通信システムにおいて、ＲＳＳＩを測定するＯＦＤＭシンボルを示す図である。
【図８】図８は、本発明の第１の実施形態に係る移動通信システムにおいて、ＲＳＳＩを測定するＯＦＤＭシンボルを示す図である。
【図９】図９は、本発明の第１の実施形態に係るユーザ装置の機能ブロック図である。
【図１０】図１０は、本発明の第１の実施形態に係る移動通信システムにおける測定方法のフローチャートである。
【発明を実施するための形態】
【００５１】
（本発明の第１の実施形態に係る移動通信システム）
本発明の第１の実施形態に係る移動通信システムについて、図面を参照して以下に説明する。
【００５２】
図５及び図６は、本実施形態に係る移動通信システムにおけるＲＳＳＩの測定区間を示す図である。
【００５３】
本実施形態に係る移動通信システムでは、干渉コーディネーションが適用されている場合のＲＳＲＱの測定においては、図５に示すように、１サブフレームの中の全てのＯＦＤＭシンボルのＲＳＳＩを測定し、干渉コーディネーションが適用されていない場合のＲＳＲＱの測定においては、図６に示すように、１サブフレームの中のリファレンス信号を含むＯＦＤＭシンボルのＲＳＳＩを測定する。
【００５４】
すなわち、干渉コーディネーションが適用されている場合のＲＳＲＱの測定においては、図５に示すように、ＯＦＤＭシンボル＃０乃至＃１３のＲＳＲＩを測定し、干渉コーディネーションが適用されていない場合のＲＳＲＱの測定においては、図６に示すように、ＯＦＤＭシンボル＃０/＃４/＃７/＃１１のＲＳＳＩを測定する。
【００５５】
ここで、「干渉コーディネーションが適用されている場合」及び「干渉コーディネーションが適用されていない場合」の判断は、以下のように行われてもよい。
【００５６】
例えば、ＲＲＣシグナリングにより、干渉コーディネーション、すなわち、ｅ-ＩＣＩＣのためのＲＳＲＰ及びＲＳＲＱの測定を行うサブフレームが指定されている場合に、指定されたサブフレームにおいて、図５に示すように、１サブフレームの中の全てのＯＦＤＭシンボルのＲＳＳＩを測定する。
【００５７】
一方、ＲＲＣシグナリングにより、干渉コーディネーション、すなわち、ｅ-ＩＣＩＣのためのＲＳＲＰ及びＲＳＲＱの測定を行うサブフレームが指定されていない場合に、図６に示すように、１サブフレームの中のリファレンス信号を含むＯＦＤＭシンボルのＲＳＳＩを測定する。
【００５８】
ここで、ＲＳＲＰ及びＲＳＲＱの測定は、「Ｒａｄｉｏ  Ｒｅｓｏｕｒｃｅ  Ｍａｎａｇｅｍｅｎｔ測定（ＲＲＭ測定）」と呼ばれてもよい。
【００５９】
すなわち、干渉コーディネーションが適用されている場合のＲＲＭ測定のためのサブフレームが、ＲＲＣシグナリングにより通知されている場合に、かかるＲＲＭ測定のためのサブフレームにおいては、図５に示すように、１サブフレームの中の全てのＯＦＤＭシンボルのＲＳＳＩを測定してもよい。
【００６０】
この場合、干渉コーディネーションが適用されない場合の全てのサブフレームにおいて、或いは、干渉コーディネーションが適用されているが、上述のＲＲＭ測定のためのサブフレームではないサブフレームにおいては、図６に示すように、１サブフレームの中のリファレンス信号を含むＯＦＤＭシンボルのＲＳＳＩを測定してもよい。
【００６１】
かかるＲＲＭ測定のためのサブフレームは、ＲＲＭ及びＲａｄｉｏ  ｌｉｎｋ  ｍｏｎｉｔｏｒｉｎｇの測定のためのサブフレームであってもよい。
【００６２】
また、かかるＲＲＭ測定のためのサブフレームは、測定の対象となるサービングセルと隣接セルに対して、個々に通知されてもよい。
【００６３】
すなわち、ある隣接セルに対して、ＲＲＭ測定のためのサブフレームが通知されている場合には、隣接セルのＲＳＲＱの算出において、図５に示すように、１サブフレームの中の全てのＯＦＤＭシンボルのＲＳＳＩを測定してもよい。
【００６４】
或いは、サービングセルに対して、ＲＲＭ測定のためのサブフレームが通知されている場合には、サービングセルのＲＳＲＱの算出において、図５に示すように、１サブフレームの中の全てのＯＦＤＭシンボルのＲＳＳＩを測定してもよい。
【００６５】
この場合、ＲＳＳＩが測定されるサブフレームは、上述のＲＲＭ測定のためのサブフレームとなる。
【００６６】
或いは、図５に示す測定の代わりに、図７に示す測定が行われてもよい。
【００６７】
すなわち、干渉コーディネーションが適用されている場合のＲＳＲＱの測定においては、図７に示すように、１サブフレームの中のリファレンス信号を含まないＯＦＤＭシンボルのＲＳＳＩを測定し、干渉コーディネーションが適用されていない場合のＲＳＲＱの測定においては、図６に示すように、１サブフレームの中のリファレンス信号を含むＯＦＤＭシンボルのＲＳＳＩを測定してもよい。
【００６８】
すなわち、干渉コーディネーションが適用されている場合のＲＳＲＱの測定においては、図７に示すように、ＯＦＤＭシンボル＃１/＃２/＃３/＃５/＃６/＃８/＃９/＃１０/＃１２/＃１３のＲＳＳＩを測定し、干渉コーディネーションが適用されていない場合のＲＳＲＱの測定においては、図６に示すように、ＯＤＦＭシンボル＃０/＃４/＃７/＃１１のＲＳＳＩを測定してもよい。
【００６９】
或いは、図５に示す測定の代わりに、図８に示す測定が行われてもよい。
【００７０】
すなわち、干渉コーディネーションが適用されている場合のＲＳＲＱの測定においては、図８に示すように、隣接セルにおけるリファレンス信号が送信されているＯＦＤＭシンボルと送信タイミングが同じになるＯＦＤＭシンボルでは、ＲＳＳＩを測定せず、それ以外のＯＦＤＭシンボルでＲＳＳＩを測定するという処理が行われてもよい。
【００７１】
ここで、図８においては、リファレンス信号が送信されているＯＦＤＭシンボルと送信タイミングが同じになるＯＦＤＭシンボルは、ＯＦＤＭシンボル＃１/＃５/＃８/＃１２となり、それ以外のＯＦＤＭシンボルは、ＯＦＤＭシンボル＃０/＃２/＃３/＃４/＃６/＃７/＃９/＃１０/＃１１/＃１３となる。
【００７２】
また、干渉コーディネーションが適用されていない場合のＲＳＲＱの測定においては、図６に示すように、１サブフレームの中のリファレンス信号を含むＯＦＤＭシンボルのＲＳＳＩを測定してもよい。
【００７３】
すなわち、干渉コーディネーションが適用されている場合のＲＳＲＱの測定においては、図８に示すように、ＯＦＤＭシンボル＃０/＃２/＃３/＃４/＃６/＃７/＃９/＃１０/＃１１/＃１３のＲＳＳＩを測定し、干渉コーディネーションが適用されていない場合のＲＳＲＱの測定においては、図６に示すように、ＯＤＦＭシンボル＃０/＃４/＃７/＃１１のＲＳＳＩを測定してもよい。
【００７４】
なお、隣接セルの送信タイミングは、基地局装置ｅＮＢより、ＲＲＣの制御情報や報知情報等により通知されてもよい。また、隣接セルの送信タイミングは、ＯＦＤＭシンボルの単位で通知されてもよい。さらに、隣接セルの送信タイミングとして、サービングセルの送信タイミングとの相対的なタイミングの差が通知されてもよい。
【００７５】
或いは、隣接セルの送信タイミングは、ユーザ装置ＵＥが、自律的に検出することにより特定されてもよい。
【００７６】
隣接セルにおけるリファレンス信号が送信されるＯＦＤＭシンボルと送信タイミングが同じになるＯＦＤＭシンボル以外のＯＦＤＭシンボルにおいて、ＲＳＳＩを測定することにより、干渉コーディネーション適用時に、適切にＲＳＳＩを測定することが可能となる。
【００７７】
或いは、図５又は図７に示す測定の代わりに、干渉コーディネーションが適用されている場合のＲＳＲＱの測定においては、基地局装置ｅＮＢより指定されたＯＦＤＭシンボルのＲＳＳＩを測定するという処理が行われてもよい。
【００７８】
すなわち、干渉コーディネーションが適用されている場合のＲＳＲＱの測定においては、基地局装置ｅＮＢが指定するＯＦＤＭシンボルのＲＳＳＩを測定し、干渉コーディネーションが適用されていない場合のＲＳＲＱの測定においては、１サブフレームの中のリファレンス信号を含むＯＦＤＭシンボルのＲＳＳＩを測定してもよい。
【００７９】
例えば、基地局装置ｅＮＢが指定するＯＦＤＭシンボルが、ＯＦＤＭシンボル＃２/＃４である場合、干渉コーディネーションが適用されている場合のＲＳＲＱの測定においては、ＯＦＤＭシンボル＃２/＃４のＲＳＳＩを測定し、干渉コーディネーションが適用されていない場合のＲＳＲＱの測定においては、図６に示すように、ＯＤＦＭシンボル＃０/＃４/＃７/＃１１のＲＳＳＩを測定してもよい。
【００８０】
ここで、基地局装置ｅＮＢが指定するＯＦＤＭシンボルに関する情報は、ＲＲＣシグナリングにより通知されてもよい。また、ＯＦＤＭシンボルに関する情報として、ＲＳＳＩの測定に用いるＯＦＤＭシンボルが指定されてもよいし、ＲＳＳＩの測定に用いないＯＦＤＭシンボルが指定されてもよい。或いは、ＯＦＤＭシンボルに関する情報として、ＲＳＳＩの測定に用いるＯＦＤＭシンボルが特定できるのであれば、どのような形態の情報が指定されてもよい。
【００８１】
基地局装置ｅＮＢが指定するＯＦＤＭシンボルを用いてＲＳＳＩを測定することにより、適切にＲＳＳＩを測定することが可能となる。
【００８２】
なお、上述したＲＳＲＱ及びＲＳＳＩの測定は、サービングセルのＲＳＲＱ及びＲＳＳＩの測定として行われてもよいし、隣接セルのＲＳＲＱ及びＲＳＳＩの測定として行われてもよい。
【００８３】
また、上述した例では、ユーザ装置１０がネットワーク（基地局装置）と通信中である場合、すなわち、ユーザ装置１０がＲＲＣ  Ｃｏｎｎｅｃｔｅｄ状態である場合のサービングセル及び隣接セルのＲＳＲＱの測定における測定方法について示したが、ユーザ装置１０がＩｄｌｅ状態である場合のサービングセル及び隣接セルの測定に関して適用されてもよい。
【００８４】
なお、ユーザ装置１０がＩｄｌｅ状態である場合に、例えば、セルリセレクション（セル再選択）のために、隣接セルの測定が行われる。
【００８５】
＜ユーザ装置１０の構成＞
図９は、本実施形態に係るユーザ装置１０の機能ブロック図である。図９に示すように、ユーザ装置１０は、ＲＲＣ信号受信部１０１と、測定ＯＦＤＭシンボル決定部１０３と、受信部１０５と、ＲＳＳＩ測定部１０７と、ＲＳＲＰ測定部１０９と、ＲＳＲＱ算出部１１１とを有する。
【００８６】
ＲＲＣ信号受信部１０１は、基地局装置ｅＮＢから、ＲＲＣレイヤの制御信号を受信するように構成されている。
【００８７】
例えば、ＲＲＣ信号受信部１０１は、ＲＲＣレイヤの制御信号として、当該セルにおいて、干渉コーディネーション、すなわち、ｅ-ＩＣＩＣが適用されているか否かについての情報を受信するように構成されている。
【００８８】
或いは、ＲＲＣ信号受信部１０１は、ＲＲＣレイヤの制御信号として、干渉コーディネーション、すなわち、ｅ-ＩＣＩＣにおけるＲＳＲＰやＲＳＲＱの測定のためのサブフレームに関する情報を受信するように構成されている。
【００８９】
上述のＲＲＣレイヤの制御信号により通知された情報、例えば、当該セルにおいて、干渉コーディネーション、すなわち、ｅ-ＩＣＩＣが適用されているか否かについての情報や、干渉コーディネーション、すなわち、ｅ-ＩＣＩＣにおけるＲＳＲＰやＲＳＲＱの測定のためのサブフレームに関する情報は、測定ＯＦＤＭシンボル決定部１０３に送られる。
【００９０】
測定ＯＦＤＭシンボル決定部１０３は、ＲＳＳＩを測定するＯＦＤＭシンボルを決定するように構成されている。
【００９１】
より具体的には、測定ＯＦＤＭシンボル決定部１０３は、ＲＲＣ信号受信部１０１から、ＲＲＣレイヤの制御信号により通知された情報を受け取り、かかるＲＲＣレイヤの制御信号により通知された情報に基づいて、ＲＳＳＩを測定するＯＦＤＭシンボルを決定するように構成されていてもよい。
【００９２】
すなわち、測定ＯＦＤＭシンボル決定部１０３は、干渉コーディネーションが適用されている場合のＲＳＲＱの測定においては、図５に示すように、１サブフレームの中の全てのＯＦＤＭシンボルを、ＲＳＳＩを測定するＯＦＤＭシンボルであると決定し、干渉コーディネーションが適用されていない場合のＲＳＲＱの測定においては、図６に示すように、１サブフレームの中のリファレンス信号を含むＯＦＤＭシンボルを、ＲＳＳＩを測定するＯＦＤＭシンボルであると決定するように構成されていてもよい。
【００９３】
或いは、測定ＯＦＤＭシンボル決定部１０３は、干渉コーディネーションが適用されている場合のＲＳＲＱの測定においては、図７に示すように、１サブフレームの中のリファレンス信号を含まないＯＦＤＭシンボルを、ＲＳＳＩを測定するＯＦＤＭシンボルであると決定し、干渉コーディネーションが適用されていない場合のＲＳＲＱの測定においては、１サブフレームの中のリファレンス信号を含むＯＦＤＭシンボルを、ＲＳＳＩを測定するＯＦＤＭシンボルであると決定するように構成されていてもよい。
【００９４】
測定ＯＦＤＭシンボル決定部１０３は、決定したＲＳＳＩを測定するＯＦＤＭシンボルを、ＲＳＳＩ測定部１０７に通知するように構成されている。
【００９５】
受信部１０５は、サービングセル及び隣接セルから送信される信号を受信するように構成されている。受信部１０５によって受信される信号には、ＲＳＲＰの測定に用いられるリファレンス信号が含まれる。
【００９６】
受信部１０５は、受信した信号を、ＲＳＳＩ測定部１０７及びＲＳＲＰ測定部１０９に送るように構成されている。
【００９７】
ＲＳＳＩ受信部１０７は、測定ＯＦＤＭシンボル決定部１０３より、ＲＳＳＩを測定するＯＦＤＭシンボルを受け取り、かかるＲＳＳＩを測定するＯＦＤＭシンボルにおいて、ＲＳＳＩを測定するように構成されている。
【００９８】
なお、ＲＳＳＩは、上述したように、サービングセルからの希望信号や隣接セルからの干渉信号や熱雑音による雑音信号等の全ての信号の受信電力の合計である。
【００９９】
ＲＳＳＩ受信部１０７は、測定したＲＳＳＩを、ＲＳＲＱ算出部１１１に送るように構成されている。
【０１００】
ＲＳＲＰ測定部１０９は、サービングセル及び隣接セルのＲＳＲＰを測定し、測定したサービングセル及び隣接セルのＲＳＲＰを、ＲＳＲＱ算出部１１１に送るように構成されている。
【０１０１】
ＲＳＲＱ算出部１１１は、ＲＳＳＩ測定部１０７よりＲＳＳＩを受け取り、ＲＳＲＰ測定部１０９より、サービングセル及び隣接セルのＲＳＲＰを受け取るように構成されている。
【０１０２】
そして、ＲＳＲＱ算出部１１１は、以下の（式３）に基づき、サービングセル及び隣接セルのＲＳＲＱを算出する。
【０１０３】
ＲＳＲＱ = ＲＳＲＰ/ ＲＳＳＩ  …  （式３）
また、上述した例では、ユーザ装置１０がネットワーク（基地局装置ｅＮＢ）と通信中である場合、すなわち、ユーザ装置１０がＲＲＣ Ｃｏｎｎｅｃｔｅｄ状態である場合のサービングセル及び隣接セルのＲＳＳＩ及びＲＳＲＱ測定における測定方法について示したが、ユーザ装置１０がＩｄｌｅ状態である場合のサービングセル及び隣接セルの測定に関して適用されてもよい。
【０１０４】
なお、ユーザ装置１０がＩｄｌｅ状態である場合に、例えば、セルリセレクション（セル再選択）のために、サービングセル及び隣接セルの測定が行われる。
【０１０５】
＜測定方法のフローチャート＞
図１０は、本実施形態に係る移動通信システムにおける測定方法のフローチャートである。
【０１０６】
まず、ステップＳ２０１において、ユーザ装置１０は、干渉コーディネーションの制御が適用されているサブフレームであるか否かについて判定する。
【０１０７】
干渉コーディネーションの制御が適用されているサブフレームである場合、すなわち、ステップＳ２０１における「Ｙｅｓ」の場合、ユーザ装置１０は、ステップＳ２０３において、全てのＯＦＤＭシンボルでＲＳＳＩを測定する。
【０１０８】
一方、干渉コーディネーションの制御が適用されているサブフレームでない場合、すなわち、ステップＳ２０１における「Ｎｏ」の場合、ユーザ装置１０は、ステップＳ２０５において、リファレンス信号を含むＯＦＤＭシンボルでＲＳＳＩを測定する。
【０１０９】
なお、ユーザ装置１０は、本フローチャートにより算出したＲＳＳＩを用いて、ＲＳＲＱを算出してもよい。
【０１１０】
次に、ステップＳ２０７において、ユーザ装置１０は、サービングセル及び隣接セルのＲＳＲＰを測定する。
【０１１１】
ステップＳ２０９において、ユーザ装置１０は、サービングセル及び隣接セルのＲＳＲＱを測定する。ここで、ＲＳＲＱは、以下の（式４）ように算出される。
【０１１２】
ＲＳＲＱ = ＲＳＲＰ/ ＲＳＳＩ  …  （式４）
なお、上述したステップＳ２０３において、ユーザ装置１０は、全てのＯＦＤＭシンボルでＲＳＳＩを測定する代わりに、図７に示すように、リファレンス信号を含まないＯＦＤＭシンボルでＲＳＳＩを測定してもよい。
【０１１３】
また、上述した例では、ユーザ装置１０がネットワーク（基地局装置ｅＮＢ）と通信中である場合、すなわち、ユーザ装置１０がＲＲＣ  Ｃｏｎｎｅｃｔｅｄ状態である場合のサービングセル及び隣接セルのＲＳＲＱの測定方法について示したが、ユーザ装置１０がＩｄｌｅ状態である場合のサービングセル及び隣接セルのＲＳＲＱの測定に関して適用されてもよい。
【０１１４】
なお、ユーザ装置１０がＩｄｌｅ状態である場合に、例えば、セルリセレクション（セル再選択）のために、サービングセル及び隣接セルのＲＳＲＱの測定が行われる。
【０１１５】
このように、本実施形態に係る移動通信システムによれば、干渉コーディネーションが行われているか否かに基づいて、サービングセル及び隣接セルの無線品質を精度良く測定することが可能になる。
【０１１６】
より具体的には、本実施形態に係る移動通信システムによれば、干渉コーディネーションが行われている場合、図５に示すように、サブフレーム内の全てのＯＦＤＭシンボルでＲＳＳＩを測定することにより、干渉を与える隣接セルからのリファレンス信号の電力の影響を低減することが可能となり、適切に、ＲＳＳＩ或いはＲＳＲＱの測定が可能となる。
【０１１７】
また、本実施形態に係る移動通信システムによれば、干渉コーディネーションが行われていない場合、図６に示すように、サブフレーム内のリファレンス信号が含まれるＯＦＤＭシンボルでＲＳＳＩを測定することにより、ＲＳＳＩが「０」に近づくことを回避し、ＲＳＲＱの値が無限大に発散することを回避することが可能となり、適切に、ＲＳＳＩ或いはＲＳＲＱの測定が可能となる。
【０１１８】
或いは、本実施形態に係る移動通信システムによれば、干渉コーディネーションが行われている場合、図７に示すように、サブフレーム内のリファレンス信号を含まないＯＦＤＭシンボルでＲＳＳＩを測定することにより、干渉を与える隣接セルからのリファレンス信号の電力の影響を排除することが可能となり、適切に、ＲＳＳＩ或いはＲＳＲＱの測定が可能となる。
【０１１９】
また、本実施形態に係る移動通信システムによれば、干渉コーディネーションが行われていない場合、図６に示すように、サブフレーム内のリファレンス信号が含まれるＯＦＤＭシンボルでＲＳＳＩを測定することにより、ＲＳＳＩが「０」に近づくことを回避し、ＲＳＲＱの値が無限大に発散することを回避することが可能となり、適切に、ＲＳＳＩ或いはＲＳＲＱの測定が可能となる。
【０１２０】
上述した例においては、干渉コーディネーションが行われている場合に、図５に示すＯＦＤＭシンボルでＲＳＳＩを測定し、干渉コーディネーションが行われていない場合に、図６に示すＯＦＤＭシンボルでＲＳＳＩを測定する例を示したが、代わりに、干渉コーディネーションが行われている場合には、図５に示すＯＦＤＭシンボルで測定するＲＳＳＩから算出されるＲＳＲＱ、及び、図６に示すＯＦＤＭシンボルで測定するＲＳＳＩから算出されるＲＳＲＱの両方を測定してもよい。
【０１２１】
この場合、干渉コーディネーションが行われていない場合には、図６に示すＯＦＤＭシンボルで測定するＲＳＳＩから算出されるＲＳＲＱのみを測定してもよい。
【０１２２】
或いは、上述した例においては、干渉コーディネーションが行われている場合に、図７に示すＯＦＤＭシンボルでＲＳＳＩを測定し、干渉コーディネーションが行われていない場合に、図６に示すＯＦＤＭシンボルでＲＳＳＩを測定する例を示したが、代わりに、干渉コーディネーションが行われている場合には、図７に示すＯＦＤＭシンボルで測定するＲＳＳＩから算出されるＲＳＲＱ、及び、図６に示すＯＦＤＭシンボルで測定するＲＳＳＩから算出されるＲＳＲＱの両方を測定してもよい。
【０１２３】
この場合、干渉コーディネーションが行われていない場合には、図６に示すＯＦＤＭシンボルで測定するＲＳＳＩから算出されるＲＳＲＱのみを測定してもよい。
【０１２４】
この場合、干渉コーディネーションが行われている場合に、隣接セルのリファレンス信号の影響を受けたＲＳＲＱ、及び、隣接セルのリファレンス信号の影響を受けないＲＳＲＱの２通りが算出されるため、より適切に、ＲＳＲＱの測定を行うことが可能となる。
【０１２５】
なお、上述の２通りのＲＳＲＱは、ユーザ装置１０の測定結果として、基地局装置ｅＮＢに通知されてもよい。かかる測定結果は、「Ｍｅａｓｕｒｅｍｅｎｔ  Ｒｅｐｏｒｔ」と呼ばれてもよい。
【０１２６】
上述した、干渉コーディネーションが行われている場合のＲＳＳＩ及びＲＳＲＱの測定は、隣接セルにおいて「ＭＢＳＦＮサブフレーム」が設定されているか否かに応じて、適用されてもよい。
【０１２７】
すなわち、隣接セルにおいて「ＭＢＳＦＮサブフレーム」が設定されていて、かつ、干渉コーディネーションが適用される場合に、ユーザ装置１０は、図５或いは図７に示すＯＦＤＭシンボルで測定するＲＳＳＩから算出されるＲＳＲＱを測定し、それ以外の場合に、図６に示すＯＦＤＭシンボルで測定するＲＳＳＩから算出されるＲＳＲＱを測定してもよい。
【０１２８】
また、上述した干渉コーディネーションが行われている場合のＲＳＳＩ及びＲＳＲＱの測定は、ユーザ装置１０が隣接セルのリファレンス信号による干渉を除去する機能を有するか否かに応じて、適用されてもよい。
【０１２９】
すなわち、ユーザ装置１０が隣接セルのリファレンス信号による干渉を除去する機能を有していて、かつ、干渉コーディネーションが適用される場合に、ユーザ装置１０は、図５或いは図７に示すＯＦＤＭシンボルで測定するＲＳＳＩから算出されるＲＳＲＱを測定し、それ以外の場合に、図６に示すＯＦＤＭシンボルで測定するＲＳＳＩから算出されるＲＳＲＱを測定してもよい。
【０１３０】
或いは、上述した干渉コーディネーションが行われている場合のＲＳＳＩ及び ＲＳＲＱの測定は、基地局装置ｅＮＢから指定された場合に、適用されてもよい。
【０１３１】
すなわち、基地局装置ｅＮＢが、ユーザ装置１０に対して、本実施形態に係るＲＳＳＩ及びＲＳＲＱの測定を指示した場合に、ユーザ装置１０は、図５或いは図７に示すＯＦＤＭシンボルで測定するＲＳＳＩから算出されるＲＳＲＱを測定し、それ以外の場合に、図６に示すＯＦＤＭシンボルで測定するＲＳＳＩから算出されるＲＳＲＱを測定してもよい。
【０１３２】
測定の対象となるセル毎に、上述した干渉コーディネーションが行われているか否かに応じて行われるＲＳＳＩ及びＲＳＲＱの測定を行うか否かについて制御してもよいし、測定の対象となるサブフレーム毎に、上述した干渉コーディネーションが行われているか否かに応じて行われるＲＳＳＩ及びＲＳＲＱの測定を行うか否かについて制御してもよい。
【０１３３】
上述した例においては、ユーザ装置１０は、干渉コーディネーションが行われている場合には、隣接セルにおいて送信されるリファレンス信号の影響を受けないように、ＲＳＳＩを測定するＯＦＤＭシンボルを選択し、ＯＦＤＭシンボルにおいて、ＲＳＳＩを測定していた。
【０１３４】
代わりに、ユーザ装置１０は、隣接セルにおいて送信されている所定信号の受信電力、例えば、リファレンス信号や同期信号（Ｐｒｉｍａｒｙ  ａｎｄ  Ｓｅｃｏｎｄａｒｙ  Ｓｙｎｃｈｒｏｎｉｚａｔｉｏｎ  Ｓｉｇｎａｌｓ（ＰＳＳ/ＳＳＳ））、報知信号（Ｐｈｙｓｉｃａｌ  Ｂｒｏａｄｃａｓｔ  Ｃｈａｎｎｅｌ（ＰＢＣＨ）信号）の受信電力を測定し、かかる隣接セルにおいて送信されている所定信号の電力を考慮して、ＲＳＳＩを測定してもよい。
【０１３５】
具体的には、隣接セルにおいて送信されているリファレンス信号の受信電力をＰｏｗｅｒＮｅｉｇｈｂｏｒ、ＲＳとした場合に、ユーザ装置１０は、最終的なＲＳＳＩを、以下のように算出してもよい。
【０１３６】
（最終的なＲＳＳＩの値）＝（ＲＳＳＩの測定値）−ＰｏｗｅｒＮｅｉｇｈｂｏｒ、ＲＳ
或いは、隣接セルにおいて送信されているＰＳＳ/ＳＳＳの受信電力をＰｏｗｅｒＮｅｉｇｈｂｏｒ、ＰＳＳ/ＳＳＳとした場合に、ユーザ装置１０は、最終的なＲＳＳＩを、次のように算出してもよい。
【０１３７】
（最終的なＲＳＳＩの値）＝（ＲＳＳＩの測定値）−ＰｏｗｅｒＮｅｉｇｈｂｏｒ、ＲＳ−ＰｏｗｅｒＮｅｉｇｈｂｏｒ、ＰＳＳ/ＳＳＳ
或いは、隣接セルにおいて送信されているＰＢＣＨ信号の受信電力をＰｏｗｅｒＮｅｉｇｈｂｏｒ、ＰＢＣＨとした場合に、ユーザ装置１０は、最終的なＲＳＳＩを、
（最終的なＲＳＳＩの値）＝（ＲＳＳＩの測定値）−ＰｏｗｅｒＮｅｉｇｈｂｏｒ、ＲＳ−ＰｏｗｅｒＮｅｉｇｈｂｏｒ、ＰＢＣＨ
として算出してもよいし、
（最終的なＲＳＳＩの値）＝（ＲＳＳＩの測定値）−ＰｏｗｅｒＮｅｉｇｈｂｏｒ、ＲＳ−ＰｏｗｅｒＮｅｉｇｈｂｏｒ、ＰＳＳ/ＳＳＳ−ＰｏｗｅｒＮｅｉｇｈｂｏｒ、ＰＢＣＨ
として算出してもよい。
【０１３８】
すなわち、ユーザ装置１０は、無線品質として、隣接セルにおいて送信されるリファレンス信号やＰＳＳ/ＳＳＳやＰＢＣＨ信号の受信電力を除去したＲＳＳＩを算出してもよい。
【０１３９】
具体的には、ユーザ装置１０は、干渉コーディネーションが行われている場合に、測定したＲＳＳＩから、隣接セルにおいて送信されるリファレンス信号やＰＳＳ/ＳＳＳやＰＢＣＨ信号の受信電力を除去することにより、ＲＳＳＩを算出してもよい。
【０１４０】
ここで、隣接セルにおいて送信されているリファレンス信号の受信電力を除去したＲＳＳＩを算出する処理は、かかる隣接セルにおいて送信されているリファレンス信号の影響を受けるＯＦＤＭシンボルにおいてのみ行われてもよい。
【０１４１】
すなわち、ＲＳＳＩを測定するＯＦＤＭシンボルと同じタイミングで、隣接セルでリファレンス信号が送信される場合には、隣接セルにおいて送信されるリファレンス信号による電力が除去されるようにＲＳＳＩを算出する処理を行い、それ以外の場合には、隣接セルにおいて送信されるリファレンス信号による電力が除去されるようにＲＳＳＩを算出する処理を行わないという処理を行ってもよい。
【０１４２】
ここで、ＲＳＳＩを測定するＯＦＤＭシンボルと同じタイミングで、隣接セルでリファレンス信号が送信されるかどうかの判断は、基地局装置ｅＮＢから通知される情報に従ってもよい。
【０１４３】
具体的には、隣接セルでリファレンス信号が送信されるサブフレームに関する情報や、隣接セルで送信されるリファレンス信号のポート数に関する情報が、基地局装置ｅＮＢからＲＲＣシグナリング又は報知情報により通知され、ユーザ装置１０は、通知された情報に従い、ＲＳＳＩを測定するＯＦＤＭシンボルと同じタイミングで、隣接セルでリファレンス信号が送信されるかどうかを判断してもよい。
【０１４４】
或いは、ユーザ装置１０は、図４に示すように、サービングセルと隣接セルとが同期している場合には、かかる隣接セルにおいて送信されているリファレンス信号の受信電力を除去したＲＳＳＩを算出する処理を行い、それ以外の場合には、かかる隣接セルにおいて送信されているリファレンス信号の受信電力を除去したＲＳＳＩを算出する処理を行わないように構成されていてもよい。
【０１４５】
なお、ユーザ装置１０は、最終的なＲＳＳＩを算出する処理において減算する、隣接セルにおいて送信されているリファレンス信号の受信電力ＰｏｗｅｒＮｅｉｇｈｂｏｒ、ＲＳについて、隣接セルのＲＳＲＰをＲＳＲＰ＿Ｎｅｉｇｈｂｏｒとした場合に、次のように算出してもよい
ＰｏｗｅｒＮｅｉｇｈｂｏｒ、ＲＳ  ＝  ＲＳＲＰ＿Ｎｅｉｇｈｂｏｒ×２
また、隣接セルにおいて送信されるＰＳＳ/ＳＳＳやＰＢＣＨ信号による電力が除去されるようにＲＳＳＩを算出する処理は、ユーザ装置１０が隣接セルのＰＳＳ/ＳＳＳやＰＢＣＨに信号よる干渉を除去する機能を有するか否かに応じて、適用されてもよい。
【０１４６】
或いは、隣接セルにおいて送信されるＰＳＳ/ＳＳＳやＰＢＣＨ信号の受信電力が除去されるようにＲＳＳＩを算出する処理は、上述の干渉コーディネーションが行われている場合で、かつ、ユーザ装置１０が図５或いは図７に示すＯＦＤＭシンボルでＲＳＳＩを測定する処理を行う場合に適用されてもよい。
【０１４７】
なお、干渉を除去する隣接セルは、全ての隣接セルの中の少なくとも１つであってもよい。
【０１４８】
ここで、ユーザ装置１０は、上記干渉を除去する隣接セルからの干渉電力を除去したＲＳＳＩを用いて、サービングセル又は隣接セルに関するＲＳＳＩ及びＲＳＲＱを測定してもよい。
【０１４９】
上述した第１の実施形態においては、主として干渉コーディネーションが適用されている場合のＲＳＳＩ及びＲＳＲＱの測定方法としていたが、干渉コーディネーションが適用されていない場合においても、ユーザ装置１０が隣接セルからの干渉を除去することができる干渉除去機能（干渉キャンセラ）を備えていることを前提としたＲＳＳＩ及びＲＳＲＱの測定方法が別途規定されてもよい。
【０１５０】
すなわち、ユーザ装置１０が隣接セルにおいて送信されているリファレンス信号のみならず、上述のＰＳＳ/ＳＳＳ、ＰＢＣＨ信号、ＰＤＣＣＨ（Ｐｈｙｓｉｃａｌ  Ｄｏｗｎｌｉｎｋ  Ｃｏｎｔｒｏｌ  Ｃｈａｎｎｅｌ、共有制御チャネル）信号及びＰＤＳＣＨ（Ｐｈｙｓｉｃａｌ  Ｄｏｗｎｌｉｎｋ  Ｓｈａｒｅｄ  Ｃｈａｎｎｅｌ、共有データチャネル）信号による干渉を除去する機能（ＩＲＣ受信機能）を有しているが、干渉コーディネーションが適用されないサブフレームである場合、ユーザ装置１０は、隣接セルにおいて送信されているリファレンス信号、ＰＳＳ/ＳＳＳ、ＰＢＣＨ信号、ＰＤＣＣＨ信号、ＰＤＳＣＨ信号の受信電力を考慮して、ＲＳＳＩを測定してもよい。
【０１５１】
具体的には、ユーザ装置１０は、隣接セルにおいて送信されているリファレンス信号及びＰＳＳ/ＳＳＳ、ＰＢＣＨ信号、ＰＤＣＣＨ信号及びＰＤＳＣＨ信号の合計の受信電力をＰｏｗｅｒＮｅｉｇｈｂｏｒとした場合に、最終的なＲＳＳＩを、以下のように算出してもよい。
【０１５２】
（最終的なＲＳＳＩの値）＝（ＲＳＳＩの測定値）−ＰｏｗｅｒＮｅｉｇｈｂｏｒ
つまり、ユーザ装置１０は、隣接セルにおいて送信されている所定信号の受信電力を除去したＲＳＳＩ及びＲＳＲＱを算出してもよい。
【０１５３】
ここで、隣接セルにおいて送信されている所定信号の受信電力を除去したＲＳＳＩを算出する処理は、ＲＳＳＩを算出するＯＦＤＭシンボル毎に、かかる隣接セルから送信されている信号のみを考慮して行われてもよい。
【０１５４】
すなわち、ユーザ装置１０は、かかる隣接セルにおいて送信されている所定信号（例えば、リファレンス信号、ＰＳＳ/ＳＳＳ、ＰＢＣＨ信号、ＰＤＣＣＨ信号及びＰＤＳＣＨ信号）の有無をＯＦＤＭシンボル毎に判定し、ＲＳＳＩを算出するＯＦＤＭシンボル毎に、隣接セルから送信されている所定信号の受信電力のみを前述のＰｏｗｅｒＮｅｉｇｈｂｏｒに含めて除去したＲＳＳＩを算出する処理を行うように構成されていてもよい。
【０１５５】
或いは、ユーザ装置１０は、図４に示すように、サービングセルと隣接セルとが同期している場合には、かかる隣接セルにおいて送信されている所定信号（例えば、リファレンス信号、ＰＳＳ/ＳＳＳ、ＰＢＣＨ信号、ＰＤＣＣＨ信号及びＰＤＳＣＨ信号）の受信電力を除去したＲＳＳＩを算出する処理を行い、それ以外の場合には、かかる隣接セルにおいて送信されている所定信号の受信電力を除去したＲＳＳＩを算出する処理を行わないように構成されていてもよい。
【０１５６】
ここで、ユーザ装置１０は、上述のＲＳＳＩ及びＲＳＲＱを測定するサブフレームにおいて、図６に示すＯＦＤＭシンボルで測定するＲＳＳＩから算出されるＲＳＲＱを測定してもよいし、図５或いは図７に示すＯＦＤＭシンボルで測定するＲＳＳＩから算出されるＲＳＲＱを測定してもよい。
【０１５７】
また、基地局装置ｅＮＢは、隣接セルからの干渉を除去する機能を備えているユーザ装置１０に対して、ＲＲＣの制御情報や報知情報等により、上述の隣接セルからの干渉を除去してＲＳＳＩ及びＲＳＲＱを測定するサブフレームについて通知するように構成されていてもよい。
【０１５８】
或いは、干渉除去機能を有するユーザ装置１０は、自発的に隣接セルの干渉を除去してＲＳＳＩ及びＲＳＲＱを算出してもよい。
【０１５９】
また、測定の対象となるセル毎に、上述した干渉コーディネーションが適用されていない場合に、隣接セルからの干渉を除去することができる干渉除去機能を備えているユーザ装置１０において行われるＲＳＳＩ及びＲＳＲＱの測定を行うか否かについて制御してもよい。
【０１６０】
なお、干渉を除去する隣接セルは、全ての隣接セルの中の少なくとも１つであってもよい。
【０１６１】
ここで、ユーザ装置１０は、上記干渉を除去する隣接セルからの干渉電力を除去したＲＳＳＩを用いて、サービングセル又は隣接セルに関するＲＳＳＩ及びＲＳＲＱを測定してもよい。
【０１６２】
なお、上記では、本発明の好適な実施例について説明したが、本発明は、上述の実施形態に限定されることなく、請求の範囲内において種々の変更及び応用が可能である。
【０１６３】
例えば、本発明は、ＬＴＥに限定されることなく、他の移動通信システムにも適用可能である。また、本発明は、中心周波数がセル間で互いに同じである移動通信システムに限定されることなく、周波数が異なる場合の異周波数測定にも適用可能である。更に、本発明は、セルによって無線アクセス技術（ＲＡＴ：Ｒａｄｉｏ  Ａｃｃｅｓｓ  Ｔｅｃｈｎｏｌｏｇｙ）が異なる場合の異ＲＡＴ測定にも適用可能である。
【０１６４】
以上に述べた本実施形態の特徴は、以下のように表現されていてもよい。
【０１６５】
本実施形態の第１の特徴は、サービングセル及び隣接セルの無線品質を測定するように構成されているユーザ装置１０であって、所定サブフレームでは、所定サブフレーム内の全てのＯＦＤＭシンボル（時間シンボル）において、サービングセル及び隣接セルの無線品質を測定するように構成されており、所定サブフレーム以外のサブフレームでは、該サブフレーム内のリファレンス信号が含まれるＯＦＤＭシンボルにおいて、サービングセル及び隣接セルの無線品質を測定するように構成されているＲＳＳＩ測定部１０７を具備することを要旨とする。
【０１６６】
本実施形態の第１の特徴において、所定サブフレームは、干渉コーディネーションが適用される場合の測定用のサブフレームであってもよい。
【０１６７】
本実施形態の第１の特徴において、所定サブフレームは、基地局装置ｅＮＢよりＲＲＣシグナリングにより通知されてもよい。
【０１６８】
本実施形態の第１の特徴において、上述の無線品質は、ＲＳＳＩであってもよいし、より具体的には、ＲＳＲＱの算出に用いるＲＳＳＩであってもよい。
【０１６９】
本実施形態の第１の特徴において、所定サブフレームは、ＲＳＲＰ及びＲＳＲＱの測定用のサブフレームであってもよい。
【０１７０】
本実施形態の第１の特徴において、所定サブフレームは、サービングセルの測定用の特定のサブフレームであってもよい。
【０１７１】
本実施形態の第１の特徴において、所定サブフレームは、隣接セルの測定用の特定のサブフレームであってもよい。
【０１７２】
本実施形態の第２の特徴は、サービングセル及び隣接セルの無線品質を測定するように構成されているユーザ装置１０であって、所定サブフレームでは、所定サブフレーム内のリファレンス信号が含まれないＯＦＤＭシンボルにおいて、サービングセル及び隣接セルの無線品質を測定するように構成されており、所定サブフレーム以外のサブフレームでは、サブフレーム内のリファレンス信号が含まれるＯＦＤＭシンボルにおいて、サービングセル及び隣接セルの無線品質を測定するように構成されているＲＳＳＩ測定部１０７を具備することを要旨とする。
【０１７３】
本実施形態の第３の特徴は、サービングセル及び隣接セルの無線品質を測定するように構成されているユーザ装置１０であって、サービングセル及び隣接セルの無線品質が、サービングセル及び隣接セルのリファレンス信号の受信電力と帯域内のトータルの受信電力とから算出される場合に、サービングセル及び隣接セルの無線品質を測定するように構成されているＲＳＳＩ測定部１０７を具備し、ＲＳＳＩ測定部１０７は、帯域内のトータルの受信電力に隣接セルのリファレンス信号の受信電力が含まれないように帯域内のトータルの受信電力を算出することを要旨とする。
【０１７４】
本実施形態の第４の特徴は、サービングセル及び隣接セルの無線品質を測定する測定方法であって、サービングセル及び隣接セルの無線品質を測定するＯＦＤＭシンボルを決定するステップＡと、決定されたＯＦＤＭシンボルにおいて、サービングセル及び隣接セルの無線品質を測定するステップＢとを有し、ステップＢにおいて、干渉コーディネーションが適用されるか否かに応じて、サービングセル及び隣接セルの無線品質を測定するＯＦＤＭシンボルを決定することを要旨とする。
【０１７５】
本実施形態の第５の特徴は、サービングセル及び隣接セルの無線品質を測定するように構成されているユーザ装置１０であって、前記サービングセル及び第１隣接セルに対する第２隣接セルからの干渉を除去することができる干渉除去機能を具備しており、所定サブフレームでは、所定サブフレーム内の全てのＯＦＤＭシンボルにおいて、かかる無線品質を測定するように構成されており、所定サブフレーム以外のサブフレームでは、かかるサブフレーム内のリファレンス信号が含まれるＯＦＤＭシンボルにおいて、かかる無線品質を測定するように構成されているＲＳＳＩ測定部１０７を具備し、ＲＳＳＩ測定部１０７は、上述の干渉除去機能を用いて、第２隣接セルにおいて送信されている所定信号（例えば、リファレンス信号、ＰＳＳ/ＳＳＳ及びＰＢＣＨ）の受信電力を考慮して、かかる無線品質を測定するように構成されていることを要旨とする。
【０１７６】
本実施形態の第５の特徴において、ＲＳＳＩ測定部１０７は、上述の無線品質を測定するＯＦＤＭシンボルにおいて、第２隣接セルがリファレンス信号、ＰＳＳ/ＳＳＳ及びＰＢＣＨを送信している場合に、第２隣接セルにおいて送信されているリファレンス信号、ＰＳＳ/ＳＳＳ及びＰＢＣＨの受信電力を除去することによって、上述の無線品質を算出するように構成されていてもよい。
【０１７７】
本実施形態の第５の特徴において、ＲＳＳＩ測定部１０７は、サービングセルと第２隣接セルとが同期している場合には、算出したＲＳＳＩから、隣接セルにおいて送信されているリファレンス信号、ＰＳＳ/ＳＳＳ及びＰＢＣＨ信号の受信電力を除去することによって、上述の無線品質を算出するように構成されており、ＲＳＳＩ測定部１０７は、サービングセルと第２隣接セルとが同期していない場合には、算出したＲＳＳＩを、上述の無線品質とするように構成されていてもよい。
【０１７８】
本実施形態の第６の特徴は、サービングセル及び隣接セルの無線品質を測定するように構成されているユーザ装置１０であって、サービングセル及び第１隣接セルに対する第２隣接セルからの干渉を除去することができる干渉除去機能を具備しており、ＲＳＳＩ測定部１０７は、上述の干渉除去機能を用いて、第２隣接セルにおいて送信されているリファレンス信号、ＰＳＳ/ＳＳＳ、ＰＢＣＨ信号、ＰＤＣＣＨ信号及びＰＤＳＣＨ信号の受信電力を考慮して、かかる無線品質を測定するように構成されていることを要旨とする。
【０１７９】
本実施形態の第６の特徴において、ＲＳＳＩ測定部１０７は、上述の無線品質を測定するＯＦＤＭシンボルにおいて、第２隣接セルがリファレンス信号、ＰＳＳ/ＳＳＳ、ＰＢＣＨ信号、ＰＤＣＣＨ信号及びＰＤＳＣＨ信号を送信している場合に、第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、上述の無線品質を算出するように構成されていてもよい。
【０１８０】
本実施形態の第６の特徴において、ＲＳＳＩ測定部１０７は、サービングセルと第２隣接セルとが同期している場合には、算出したＲＳＳＩから、第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、上述の無線品質を算出するように構成されており、ＲＳＳＩ測定部１０７は、サービングセルと隣接セルとが同期していない場合には、算出したＲＳＳＩを、上述の無線品質とするように構成されていてもよい。
【０１８１】
なお、上述のユーザ装置１０（ＵＥ）及び基地局装置ｅＮＢの動作は、ハードウェアによって実施されてもよいし、プロセッサによって実行されるソフトウェアモジュールによって実施されてもよいし、両者の組み合わせによって実施されてもよい。
【０１８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ユーザ装置１０（ＵＥ）及び基地局装置ｅＮＢ内に設けられていてもよい。また、かかる記憶媒体及びプロセッサは、ディスクリートコンポーネントとしてユーザ装置１０（ＵＥ）及び基地局装置ｅＮＢ内に設けられていてもよい。
【０１８４】
以上、上述の実施形態を用いて本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１８５】
１０…ユーザ装置
１０１…ＲＲＣ信号受信部
１０３…測定ＯＦＤＭシンボル決定部
１０５…受信部
１０７…ＲＳＳＩ測定部
１０９…ＲＳＲＰ測定部
１１１…ＲＳＲＱ算出部
【図１】
2012096299.tif 000003
【図２】
2012096299.tif 000004
【図３】
2012096299.tif 000005
【図４】
2012096299.tif 000006
【図５】
2012096299.tif 000007
【図６】
2012096299.tif 000008
【図７】
2012096299.tif 000009
【図８】
2012096299.tif 000010
【図９】
2012096299.tif 000011
【図１０】
2012096299.tif 000012
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
サービングセル及び隣接セルの無線品質を測定するように構成されているユーザ装置であって、
前記サービングセル及び第１隣接セルに対する第２隣接セルからの干渉を除去することができる干渉除去機能を具備しており、
所定サブフレームでは、該所定サブフレーム内の全ての時間シンボルにおいて、前記無線品質を測定するように構成されており、
前記所定サブフレーム以外のサブフレームでは、該サブフレーム内のリファレンス信号が含まれる時間シンボルにおいて、前記無線品質を測定するように構成されている測定部を具備し、
前記測定部は、前記干渉除去機能を用いて、前記第２隣接セルにおいて送信されている所定信号の受信電力を考慮して、前記無線品質を測定するように構成されていることを特徴とするユーザ装置。
【請求項２】
前記測定部は、前記無線品質を測定する時間シンボルにおいて、前記第２隣接セルが前記所定信号を送信している場合に、該第２隣接セルにおいて送信されている該所定信号の受信電力を除去することによって、前記無線品質を算出するように構成されていることを特徴とする請求項１に記載のユーザ装置。
【請求項３】
前記測定部は、前記サービングセルと前記第２隣接セルとが同期している場合には、算出したＲＳＳＩから、該第２隣接セルにおいて送信されている前記所定信号の受信電力を除去することによって、前記無線品質を算出するように構成されており、
前記測定部は、前記サービングセルと前記第２隣接セルとが同期していない場合には、算出したＲＳＳＩを、前記無線品質とするように構成されていることを特徴とする請求項１に記載のユーザ装置。
【請求項４】
前記所定信号は、リファレンス信号であることを特徴とする請求項１乃至３のいずれか一項に記載のユーザ装置。
【請求項５】
前記所定信号は、ＰＳＳ/ＳＳＳであることを特徴とする請求項１乃至３のいずれか一項に記載のユーザ装置。
【請求項６】
前記所定信号は、ＰＢＣＨ信号であることを特徴とする請求項１乃至３のいずれか一項に記載のユーザ装置。
【請求項７】
サービングセル及び隣接セルの無線品質を測定するように構成されているユーザ装置であって、
前記サービングセル及び第１隣接セルに対する第２隣接セルからの干渉を除去することができる干渉除去機能を具備しており、
測定部は、前記干渉除去機能を用いて、前記第２隣接セルにおいて送信されているリファレンス信号、ＰＳＳ/ＳＳＳ、ＰＢＣＨ信号、ＰＤＣＣＨ信号及びＰＤＳＣＨ信号の受信電力を考慮して、前記無線品質を測定するように構成されていることを特徴とするユーザ装置。
【請求項８】
前記測定部は、前記無線品質を測定する時間シンボルにおいて、前記第２隣接セルがリファレンス信号、ＰＳＳ/ＳＳＳ、ＰＢＣＨ信号、ＰＤＣＣＨ信号及びＰＤＳＣＨ信号を送信している場合に、該第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、前記無線品質を算出するように構成されていることを特徴とする請求項７に記載のユーザ装置。
【請求項９】
前記測定部は、前記サービングセルと前記第２隣接セルとが同期している場合には、算出したＲＳＳＩから、該第２隣接セルにおいて送信されているリファレンス信号、ＰＳＳ/ＳＳＳ、ＰＢＣＨ信号、ＰＤＣＣＨ信号及びＰＤＳＣＨ信号の受信電力を除去することによって、前記無線品質を算出するように構成されており、
前記測定部は、前記サービングセルと前記第２隣接セルとが同期していない場合には、算出したＲＳＳＩを、前記無線品質とするように構成されていることを特徴とする請求項７に記載のユーザ装置。
【国際調査報告】
2012096299.tif 000013
2012096299.tif 000014
2012096299.tif 000015
2012096299.tif 000016
2012096299.tif 000017
2012096299.tif 000018
2012096299.tif 000019
2012096299.tif 000020